(57)【要約】【課題】かしめ時の熱のレンズ部材への伝達を阻止し、レンズ部材の変形を防止し像性能を高める上で有利なレンズ部材の取り付け構造、レンズ鏡筒、撮像装置、鏡筒の製造方法を提供する。【解決手段】第２固定レンズ５０の鏡筒３２に対する取り付けは、加熱されたかしめ治具を、ピン挿通孔５８から突出されたピン５６の先端に当て付けてピン５６の先端を溶融してつぶすことによってかしめる。この際、ピン５６は第２固定レンズ５０ではなく、鏡筒３２側に設けられていることから、第２固定レンズ５０に直接熱や力が加わることが阻止されるため、レンズ部５００２の変形を防止する上で有利となる。【選択図】図６
2008015129.tif 000002
【特許請求の範囲】
【請求項１】
レンズ部と、前記レンズ部の外周から突設された取り付け片とを有する合成樹脂製のレンズ部材と、
前記取り付け片が重ねられて取り付けられる取り付け面を有するレンズ取り付け部と、
を備えるレンズ部材の取り付け構造であって、
前記取り付け片の複数箇所にそれぞれピン挿通孔が貫通形成され、
前記取り付け面の複数箇所から前記複数のピン挿通孔に挿通されるピンがそれぞれ突設され、
前記取り付け片が前記取り付け面に重ね合わされ、前記ピンが前記ピン挿通孔に挿通され固定されることで前記レンズ部材が前記取り付け部に取り付けられている、
ことを特徴とするレンズ部材の取り付け構造。
【請求項２】
前記レンズ部は光軸を有し、
前記ピンと前記ピン挿通孔は前記光軸と平行する方向に延在している、
ことを特徴とする請求項１記載のレンズ部材の取り付け構造。
【請求項３】
前記レンズ部は光軸を有し、
前記取り付け面は、前記光軸と直交する平面上を延在し、前記取り付け面は、前記レンズ部材の前記光軸方向における位置を位置決めする位置決め面として形成されている、
ことを特徴とする請求項１記載のレンズ部材の取り付け構造。
【請求項４】
前記ピンの前記ピン挿通孔への固定は、前記ピンが前記ピン挿通孔に挿通され、前記ピン挿通孔から突出する前記ピンの先端が前記取り付け片上にかしめられることでなされている、
ことを特徴とする請求項１記載のレンズ部材の取り付け構造。
【請求項５】
前記レンズ部材は、前記レンズ部を通過する光路が内部に延在する部材に組み込まれ、
複数のピン挿通孔のうちの１つのピン挿通孔は、前記レンズ部の光軸からの距離が高い精度で形成された位置決めピン挿通孔として形成され、この位置決めピン挿通孔に挿通されるピンは、前記部材の光路の光軸からの距離が高い精度で形成され前記位置決めピン挿通孔に嵌合される位置決めピンとして形成され、
前記レンズ部を挟んで前記位置決めピン挿通孔に対向する他の１つのピン挿通孔は、前記レンズ部の径方向に延在するピン挿通長孔として形成され、このピン挿通長孔に挿通されるピンは、前記ピン挿通長孔内でその長手方向に移動できかつ前記位置決めピンおよび前記位置決めピン挿通孔を中心とする前記レンズ部の回転を阻止する回転阻止用ピンとして形成されている。
ことを特徴とする請求項１記載のレンズ部材の取り付け構造。
【請求項６】
前記レンズ部材は、前記レンズ部を通過する光路が内部に延在する部材に組み込まれ、
複数のピン挿通孔のうちの１つのピン挿通孔は、前記レンズ部の光軸からの距離が高い精度で形成された位置決めピン挿通孔として形成され、この位置決めピン挿通孔に挿通されるピンは、前記部材の光路の光軸からの距離が高い精度で形成され前記位置決めピン挿通孔に嵌合される位置決めピンとして形成され、
前記レンズ部を挟んで前記位置決めピン挿通孔に対向する他の１つのピン挿通孔は、前記レンズ部の径方向に延在するピン挿通長孔として形成され、このピン挿通長孔に挿通されるピンは、前記ピン挿通長孔内でその長手方向に移動できかつ前記位置決めピンおよび前記位置決めピン挿通孔を中心とする前記レンズ部の回転を阻止する回転阻止用ピンとして形成され、
前記ピン挿通孔から突出する前記位置決めピンを除く残りのピンの先端が前記取り付け片上にかしめられている、
ことを特徴とする請求項１記載のレンズ部材の取り付け構造。
【請求項７】
前記レンズ部材は、前記レンズ部を通過する光路が内部に延在する部材に組み込まれ、
前記レンズ取り付け部は、前記光路の周囲の前記部材の複数箇所から前記レンズ部の光軸と平行する方向に突設された膨出部を有し、
前記ピンは、前記膨出部の先端から突出しており、
前記取り付け面は、前記膨出部の先端の端面で前記ピンの周囲の環状面で構成されている、
ことを特徴とする請求項１記載のレンズ部材の取り付け構造。
【請求項８】
前記レンズ部材は、前記レンズ部を通過する光路が内部に延在する筒状の部材に組み込まれ、
前記レンズ取り付け部は、前記筒状の部材の長手方向の端部に設けられ、
前記ピンは、前記筒状部材の長手方向と平行する方向で前記筒状部材から離れる方向に突出し、
前記レンズ部材は前記筒状の部材の長手方向の端部に取り付けられている、
ことを特徴とする請求項１記載のレンズ部材の取り付け構造。
【請求項９】
前記レンズ部材は、前記レンズ部を通過する光路が内部に延在する枠状の部材に組み込まれ、
前記レンズ取り付け部は、前記枠状の部材の厚さ方向の一方の端部に設けられ、
前記枠状の部材の厚さ方向の他方の端部に撮像素子が配置され、
前記ピンは、前記枠状の部材の厚さ方向と平行する方向で前記枠状の部材から離れる方向に突出し、
前記レンズ部材は前記枠状の部材の厚さ方向の一方の端部に取り付けられている、
ことを特徴とする請求項１記載のレンズ部材の取り付け構造。
【請求項１０】
前記レンズ部材は、前記レンズ部を通過する光路が内部に延在する鏡筒に組み込まれ、
前記レンズ取り付け部は、前記光路の周囲の前記鏡筒を構成する壁部から膨出しその先端に前記取り付け面が形成された膨出部を有し、
前記ピンは、前記取り付け面から突出しており、
前記取り付け片は、前記取り付け面に合わされる合わせ面が形成された内面と、前記内面と反対に位置する外面とを有し、
前記ピン挿通孔は、前記内面と前記外面とにわたって貫通形成され、
前記外面で前記ピン挿通孔の周囲の箇所に座ぐりが形成されている、
ことを特徴とする請求項１記載のレンズ部材の取り付け構造。
【請求項１１】
前記レンズ部材は、前記レンズ部を通過する光路が内部に延在する鏡筒に組み込まれ、
前記レンズ取り付け部は、前記光路の周囲の前記鏡筒を構成する壁部から膨出しその先端に前記取り付け面が形成された円柱状の膨出部を有し、
前記ピンは、前記取り付け面から突出しており、
前記取り付け片は、前記取り付け面に合わされる合わせ面が形成された内面と、前記内面と反対に位置する外面とを有し、
前記ピン挿通孔は、前記内面と前記外面とにわたって貫通形成され、
前記内面および外面の箇所で前記ピン挿通孔の周囲の箇所に座ぐりがそれぞれ形成され、
前記内面に形成された前記座ぐりの底面で前記合わせ面が構成されている、
ことを特徴とする請求項１記載のレンズ部材の取り付け構造。
【請求項１２】
前記レンズ部材は、前記レンズ部を通過する光路が内部に延在する鏡筒に組み込まれ、
前記レンズ取り付け部は、前記光路の周囲の前記鏡筒を構成する壁部から膨出しその先端に前記取り付け面が形成された円柱状の膨出部を有し、
前記ピンは、前記取り付け面から突出しており、
前記取り付け片は、前記取り付け面に合わされる合わせ面が形成された内面と、前記内面と反対に位置する外面とを有し、
前記ピン挿通孔は、前記内面と前記外面とにわたって貫通形成され、
前記内面および外面の箇所で前記ピン挿通孔の周囲の箇所に座ぐりがそれぞれ形成され、
前記内面に形成された前記座ぐりの底面で前記合わせ面が構成され、
前記ピンが前記ピン挿通孔に挿通された状態で、前記ピンの外周面と前記ピン挿通孔の内周面との間に環状の隙間が確保される、
ことを特徴とする請求項１記載のレンズ部材の取り付け構造。
【請求項１３】
前記レンズ部材は、前記レンズ部を通過する光路が内部に延在する鏡筒に組み込まれ、
前記レンズ取り付け部は、前記光路の周囲の前記鏡筒を構成する壁部から膨出しその先端に前記取り付け面が形成された円柱状の膨出部を有し、
前記ピンは、前記取り付け面から突出しており、
前記取り付け片は、前記取り付け面に合わされる合わせ面が形成された内面と、前記内面と反対に位置する外面とを有し、
前記ピン挿通孔は、前記内面と前記外面とにわたって貫通形成され、
前記内面および外面の箇所で前記ピン挿通孔の周囲の箇所に座ぐりがそれぞれ形成され、
前記内面に形成された前記座ぐりの底面で前記合わせ面が構成され、
前記ピンが前記ピン挿通孔に挿通された状態で、前記ピンの外周面と前記ピン挿通孔の内周面との間に環状の隙間が確保され、かつ、前記内面の前記座ぐりの内周面と前記膨出部の外周面との間に環状の隙間が確保される、
ことを特徴とする請求項１記載のレンズ部材の取り付け構造。
【請求項１４】
レンズ部と、前記レンズ部の外周から突設された取り付け片とを有する合成樹脂製のレンズ部材と、
前記取り付け片が重ねられて取り付けられる取り付け面を有するレンズ取り付け部が設けられた鏡筒と、
を備えるレンズ鏡筒であって、
前記取り付け片の複数箇所にそれぞれピン挿通孔が貫通形成され、
前記取り付け面の複数箇所から前記複数のピン挿通孔に挿通されるピンがそれぞれ突設され、
前記取り付け片が前記取り付け面に重ね合わされ、前記ピンが前記ピン挿通孔に挿通され固定されることで前記レンズ部材が前記取り付け部に取り付けられている、
ことを特徴とするレンズ鏡筒。
【請求項１５】
撮像素子と、レンズ鏡筒とを有し、
前記レンズ鏡筒は、被写体像を前記撮像素子に導く撮影光学系と、前記撮影光学系が組み込まれた鏡筒とを有し、
前記撮影光学系は、レンズ部と、前記レンズ部の外周から突設された取り付け片とを有する合成樹脂製のレンズ部材を備え、
前記鏡筒に、前記取り付け片が重ねられて取り付けられる取り付け面を有するレンズ取り付け部が設けられた撮像装置であって、
前記取り付け片の複数箇所にそれぞれピン挿通孔が貫通形成され、
前記取り付け面の複数箇所から前記複数のピン挿通孔に挿通されるピンがそれぞれ突設され、
前記取り付け片が前記取り付け面に重ね合わされ、前記ピンが前記ピン挿通孔に挿通され固定されることで前記レンズ部材が前記取り付け部に取り付けられている、
ことを特徴とする撮像装置。
【請求項１６】
レンズ部と、前記レンズ部の外周から突設された取り付け片とを有する合成樹脂製のレンズ部材を、前記レンズ部を通過する光路が内部に延在する鏡筒に取り付けるレンズ鏡筒の製造方法であって、
前記光路の周囲の前記鏡筒の箇所に、前記取り付け片が重ねられる取り付け面を有するレンズ取り付け部を設け、
前記取り付け片の複数箇所にそれぞれピン挿通孔を貫通形成し、
前記取り付け面の複数箇所から前記複数のピン挿通孔に挿通されるピンをそれぞれ突設し、
前記取り付け片を前記取り付け面に重ね合わせ、前記ピンを前記ピン挿通孔に挿通し、前記挿通孔から突出する前記ピンの先端を前記取り付け片上にかしめるようにした、
ことを特徴とするレンズ鏡筒の製造方法。
【発明の詳細な説明】
【技術分野】
【０００１】
本発明はレンズ部材の取り付け構造、レンズ鏡筒、撮像装置およびレンズ鏡筒の製造方法に関する。
【背景技術】
【０００２】
従来のレンズ部材の取り付け構造では、レンズ部材を筒状の部材のレンズ枠の長手方向の一端に取り付ける場合、レンズ部材の外周部から後方に向けてピンを突設し、それらピンが挿通されるピン挿通孔をレンズ枠の長手方向に貫通形成し、ピン挿通孔に挿通されたピンの先端をレンズ枠の長手方向の他端において溶融してかしめを行うことが考えられる（特許文献１参照）。
【特許文献１】特開２００４−１８４７８７号公報
【発明の開示】
【発明が解決しようとする課題】
【０００３】
しかしながら、上述した従来技術では、加熱されたかしめ治具を、ピン挿通孔から突出されたピンの先端に当て付け、ピンの先端を溶融してつぶすことによってなされ、あるいは、超音波で振動するかしめ治具をピンの先端に当て付け、これによって発生した熱によってピンの先端を溶融してつぶすことによってなされるため、レンズ部材に熱や力が直接加わりやすく、レンズ部材が変形し、像性能に悪影響を与える不具合があった。
本発明はこのような事情に鑑みなされたもので、その目的は、かしめ時の熱のレンズ部材への伝達を阻止し、レンズ部材の変形を防止し像性能を高める上で有利なレンズ部材の取り付け構造、レンズ鏡筒、撮像装置、鏡筒の製造方法を提供することにある。
【課題を解決するための手段】
【０００４】
上述の目的を達成するため、本発明は、レンズ部と、前記レンズ部の外周から突設された取り付け片とを有する合成樹脂製のレンズ部材と、前記取り付け片が重ねられて取り付けられる取り付け面を有するレンズ取り付け部とを備えるレンズ部材の取り付け構造であって、前記取り付け片の複数箇所にそれぞれピン挿通孔が貫通形成され、前記取り付け面の複数箇所から前記複数のピン挿通孔に挿通されるピンがそれぞれ突設され、前記取り付け片が前記取り付け面に重ね合わされ、前記ピンが前記ピン挿通孔に挿通され固定されることで前記レンズ部材が前記取り付け部に取り付けられていることを特徴とする。
また本発明は、レンズ部と、前記レンズ部の外周から突設された取り付け片とを有する合成樹脂製のレンズ部材と、前記取り付け片が重ねられて取り付けられる取り付け面を有するレンズ取り付け部が設けられた鏡筒とを備えるレンズ鏡筒であって、前記取り付け片の複数箇所にそれぞれピン挿通孔が貫通形成され、前記取り付け面の複数箇所から前記複数のピン挿通孔に挿通されるピンがそれぞれ突設され、前記取り付け片が前記取り付け面に重ね合わされ、前記ピンが前記ピン挿通孔に挿通され固定されることで前記レンズ部材が前記取り付け部に取り付けられていることを特徴とする。
また本発明は、撮像素子と、レンズ鏡筒とを有し、前記レンズ鏡筒は、被写体像を前記撮像素子に導く撮影光学系と、前記撮影光学系が組み込まれた鏡筒とを有し、前記撮影光学系は、レンズ部と、前記レンズ部の外周から突設された取り付け片とを有する合成樹脂製のレンズ部材を備え、前記鏡筒に、前記取り付け片が重ねられて取り付けられる取り付け面を有するレンズ取り付け部が設けられた撮像装置であって、前記取り付け片の複数箇所にそれぞれピン挿通孔が貫通形成され、前記取り付け面の複数箇所から前記複数のピン挿通孔に挿通されるピンがそれぞれ突設され、前記取り付け片が前記取り付け面に重ね合わされ、前記ピンが前記ピン挿通孔に挿通され固定されることで前記レンズ部材が前記取り付け部に取り付けられていることを特徴とする。
また本発明は、レンズ部と、前記レンズ部の外周から突設された取り付け片とを有する合成樹脂製のレンズ部材を、前記レンズ部を通過する光路が内部に延在する鏡筒に取り付けるレンズ鏡筒の製造方法であって、前記光路の周囲の前記鏡筒の箇所に、前記取り付け片が重ねられる取り付け面を有するレンズ取り付け部を設け、前記取り付け片の複数箇所にそれぞれピン挿通孔を貫通形成し、前記取り付け面の複数箇所から前記複数のピン挿通孔に挿通されるピンをそれぞれ突設し、前記取り付け片を前記取り付け面に重ね合わせ、前記ピンを前記ピン挿通孔に挿通し、前記挿通孔から突出する前記ピンの先端を前記取り付け片上にかしめるようにしたことを特徴とする。
【発明の効果】
【０００５】
本発明によれば、例えば、レンズ部材の取り付け片への取り付けを、レンズ部材のピン挿通孔から突出された取り付け片のピンの先端を熱により溶融しかしめる場合であっても、レンズ部材に直接熱や力が加わることが阻止される。そのため、レンズ部材の変形を防止する上で有利となり、レンズ部材の像性能の悪化を確実に防止しつつ、レンズ部材の取り付けを行うことができる。
【発明を実施するための最良の形態】
【０００６】
（第１の実施の形態）
次に、本発明の実施の形態について図面を参照して説明する。
図１、図２は第１の実施の形態の撮像装置１０の構成を示す斜視図、図３は撮像装置１０の制御系の構成を示すブロック図である。
図１、図２に示すように、本実施の形態の撮像装置１０はビデオカメラである。
撮像装置１０の外装を構成するケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれたレンズ鏡筒１６が前後に延在し、その前部がケース１２の前面に臨むように設けられている。
レンズ鏡筒１６の後端には撮影光学系１４によって導かれた被写体像を撮像する撮像素子１８（図３参照）が設けられている。
図１に示すように、ケース１２の左側部には、撮像素子１８によって撮像された被写体像などを表示するための例えば液晶表示装置からなるディスプレイパネル２０が開閉可能に設けられ、このディスプレイパネル２０は閉じられた際に収容凹部１２０２に収容される。なお、収容凹部１２０２の底壁にはスピーカ２２（図３参照）が設けられている。
図２に示すように、ケース１２の右側部には、画像データや音声データを記録するディスク状記録媒体２（図３参照）が装脱可能に収容される収容部２４が設けられ、収容部２４は開閉蓋２４０２により開閉される。
ケース１２の右側面には、前後方向に延在するグリップベルト２６が設けられている。
ケース１２の上面前部には、音声を収音するためのマイクロフォン２８が設けられている。
ケース１２の上面後部には、ディスプレイ２９０２（図３参照）が組み込まれた電子式ビューファインダー装置２９が設けられている。
図２に示すように、撮像装置１０には、撮影にまつわる種々の機能を実行するための操作スイッチとして、電源スイッチ３０Ａ、静止画撮影用スイッチ３０Ｂ、ズーム用スイッチ３０Ｃ、モード切り換え用スイッチ３０Ｄ、動画撮影用スイッチ３０Ｅなどが設けられている。
【０００７】
図３に示すように、撮像装置１０には、映像信号用増幅回路１００、画像データ処理部１０２、マイクロフォン用増幅回路１０４、音声データ処理回路１０５、スピーカ２２、出力用増幅回路１０６、記録再生回路１０８、コントロール回路１１０、記録再生機構１１２、ドライブ回路１１４、インターフェース回路１１６、メモリカード用スロット１１８、ズーム駆動部１２０などが設けられている。
撮像素子１８で生成された撮像信号は映像信号用増幅回路１００で増幅され、画像データ処理部１０２に供給される。
画像データ処理部１０２は、撮像信号に所定の信号処理を行うことで、動画データおよび静止画データを生成し、記録再生回路１０８に供給される。
マイクロフォン２８で収音された音声信号はマイクロフォン用増幅回路１０４で増幅され、音声データ処理回路１０５によって所定の信号処理がなされ音声データとして記録再生回路１０８に供給される。
【０００８】
記録再生回路１０８は、画像データ処理部１０２から供給された動画データおよび静止画データや音声データ処理回路１０５から供給された音声データをコントロール回路１１０の制御にしたがって記録再生機構１１２に供給し、記録再生機構１１２は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路１０８は、画像データ処理部１０２から供給された動画データおよび静止画データや音声データ処理回路１０５から供給された音声データをインターフェース回路１１６を介してメモリカード用スロット１１８に装着された記録媒体としてのメモリカード４に記録する。
また、記録再生回路１０８は、画像データ処理部１０２から供給された動画データおよび静止画データを、ドライブ回路１１４を介してディスプレイパネル２０、２９０２に供給して画像の表示を行わせる。
また、記録再生回路１０８は、インターフェース回路１１６を介してメモリカード４から供給される動画データおよび静止画データを、ドライブ回路１１４を介してディスプレイパネル２０、２９０２に供給して画像の表示を行わせるとともに、インターフェース回路１１６を介してメモリカード４から供給される音声データを出力用増幅回路１０６を介してスピーカ２２に供給して音声の出力を行わせる。
また、記録再生回路１０８は、記録再生機構１１２によりディスク状記録媒体２から再生された動画データおよび静止画データを、ドライブ回路１１４を介してディスプレイパネル２０、２９０２に供給して画像の表示を行わせるとともに、記録再生機構１１２によりディスク状記録媒体２から再生された音声データを出力用増幅回路１０６を介してスピーカ２２に供給して音声の出力を行わせる。
【０００９】
コントロール回路１１０は、電源スイッチ３０Ａの操作に基づいて撮像装置１０の電源のオン、オフを行う。
コントロール回路１１０は、静止画撮影用スイッチ３０Ｂの操作に基づいて画像データ処理部１０２および記録再生回路１０８に指令を与えることにより、画像データ処理部１０２から供給される静止画データを記録再生回路１０８を介して記録再生機構１１２に供給することで静止画データをディスク状記録媒体２に記録させる。言い換えると、静止画撮影用スイッチ３０Ｂは、いわゆるシャッタボタンとして機能している。
コントロール回路１１０は、ズーム用スイッチ３０Ｃの操作に基づいてズーム駆動部１２０に指令を与えることにより、撮影光学系１４の第１、第２可動レンズ４８、５２（図５参照）を移動させることにより、撮影光学系１４のズーム率を変化させる。
コントロール回路１１０は、モード切り換え用スイッチ３０Ｄの操作に基づいて画像データ処理部１０２に指令を与えることにより、画像データ処理部１０２によって動画データを生成させる動画撮影モードと、画像データ処理部１０２によって静止画データを生成させる静止画撮影モードとを切り換える。
なお、動画撮影モードでは、画像データ処理部１０２で生成された動画データが記録再生回路１０８を介してディスク状記録媒体２またはメモリカード４に記録され、静止画撮影モードでは、画像データ処理部１０２で生成された静止画データが記録再生回路１０８を介してディスク状記録媒体２またはメモリカード４に記録される。
コントロール回路１１０は、動画撮影用スイッチ３０Ｅの操作に基づいて動画データの記録の開始、記録の停止を行わせる。すなわち、コントロール回路１１０は、動画撮影用スイッチ３０Ｅの操作に基づいて画像データ処理部１０２および記録再生回路１０８に指令を与えることにより、画像データ処理部１０２からに供給される動画データを記録再生回路１０８を介して記録再生機構１１２に供給することで動画データをディスク状記録媒体２に記録させる動作を開始させ、あるいは、その動作を停止させる。言い換えると、動画撮影用スイッチ３０Ｅは、いわゆる撮影スタート／ストップの操作部材として機能している。
【００１０】
次に、レンズ鏡筒１６について説明する。
図４はレンズ鏡筒１６の分解斜視図、図５はレンズ鏡筒１６の断面図である。
図４、図５に示すように、レンズ鏡筒１６は鏡筒３２を有し、鏡筒３２は、鏡筒本体３４と、鏡筒本体３４の内部の前部に配置される第１可動レンズ枠３６と、鏡筒本体３４の前端に取着される第１固定レンズ枠３８と、鏡筒本体３４の内部の後部に配置される第２可動レンズ枠４０と、鏡筒本体３４の内部で第２可動レンズ枠４０の前方に配置され鏡筒本体３４の内部に固定される第２固定レンズ枠４２と、鏡筒本体３４の後端に取着される第3固定レンズ枠４４とを有している。
【００１１】
撮影光学系１４は、第１固定レンズ群４６、第１可動レンズ群４８、第２固定レンズ５０、第２可動レンズ群５２、第３固定レンズ５４が光軸方向の前方から後方に向かってこの順番で配設されて構成されている。
第１固定レンズ群４６は第１固定レンズ枠３８に固定され、第１可動レンズ群４８は第１可動レンズ枠３６に固定され、第２固定レンズ５０は第２固定レンズ枠４２に固定され、第２可動レンズ群５２は第２可動レンズ枠４０に固定され、第３固定レンズ５４は第３固定レンズ枠４４に固定されている。
本実施の形態では、撮影光学系１４は、第１、第２可動レンズ群４８、５２を持つインナーフォーカスレンズとして構成され、第１固定レンズ群４８と第２固定レンズ５０と第３固定レンズ５４は、撮影光学系１４の光軸方向に移動不能に鏡筒３２に固定され、第１可動レンズ群４８と第２可動レンズ群５２は不図示の駆動機構により撮影光学系１４の光軸方向に移動されるように構成されている。
第１可動レンズ群４８と第２可動レンズ群５２は、それぞれ光軸方向に移動されることで協働して撮影光学系１４の焦点距離の調整（ズーミング）を行うとともに撮影光学系１４の焦点調節（フォーカシング）を行うものである。
本実施の形態では、第２固定レンズ５０と第３固定レンズ５４に本発明が適用されている。
【００１２】
まず、第２固定レンズ５０（レンズ部材）の取り付けから説明する。
図６は第２固定レンズ枠４２と第２固定レンズ５０の斜視図である。
図６に示すように、鏡筒３２の一部を構成し内部に撮影光学系１４の光路が延在する第２固定レンズ枠４２の前端面に、撮影光学系１４の光路を形成すべき開口４２０２が設けられ、開口４２０２の周囲に環状の取り付け面４２０４が形成されている。
すなわち、第２固定レンズ５０のレンズ部５００２を通過する光路が内部に延在する第２固定レンズ枠４２の長手方向の端部に取り付け面４２０４が形成されている。
取り付け面４２０４は、撮影光学系１４の光軸１４Ａ（図５参照）に対して直交する平面上を延在している。
取り付け面４２０４の周方向に間隔をおいた複数箇所に４本のピン５６が突設されている。
それらのピン５６は、撮影光学系１４の光軸１４Ａと平行する方向に延在している。
第２固定レンズ枠４２は合成樹脂製で、第２固定レンズ枠４２を構成する合成樹脂として、例えば、ポリカーボネートなどが挙げられる。
【００１３】
第２固定レンズ５０は合成樹脂製で、光束を集束または発散させるレンズ部５００２と、レンズ部５００２の外周から突設された取り付け片５００４とを有している。本実施の形態では、取り付け片５００４はレンズ部５００２の外周全周にわたって延在する環板状に形成されている。
第２固定レンズ５０を構成する合成樹脂として、例えば、ＰＭＭＡ（Polymethyl methacrylate：メタクリル酸樹脂）などのアクリル樹脂などが挙げられる。
取り付け片５００４の周方向に間隔をおいた複数箇所にピン５６が挿通されるピン挿通孔５８が貫通形成され、言い換えると、取り付け片５００４の周方向に間隔をおいた複数箇所にピン挿通孔５８が貫通形成され、複数のピン５６はピン挿通孔５８に挿通されるように設けられている。
それら複数のピン挿通孔５８のうちの１つのピン挿通孔５８は、レンズ部５００２の光軸からの距離が高い精度で形成された位置決めピン挿通孔５８Ａとして形成され、この位置決めピン挿通孔５８Ａに挿入されるピン５６は、第２固定レンズ枠４２の光路からの距離が高い精度で形成され位置決めピン挿通孔５８Ａに嵌合される位置決めピン５６Ａとして形成されている。
また、レンズ部５００２を挟んで位置決めピン挿通孔５８Ａに対向する他の１つのピン挿通孔５８は、レンズ部５００２の径方向に延在するピン挿通長孔５８Ｂとして形成され、このピン挿通長孔５８Ｂに挿通されるピン５６は、ピン挿通長孔５８Ｂ内でレンズ部５００２の径方向に移動できかつ位置決めピン５６Ａおよび位置決めピン挿通孔５８Ａを中心とするレンズ部５００２の回転を阻止する回転阻止用ピン５６Ｂとして形成されている。
また、残りの２つのピン挿通孔５８およびそれらピン挿通孔５８に挿入されるピン５６は、第２固定レンズ５０を第２固定レンズ枠４２に固定させる部材としてのみ機能する。
【００１４】
第２固定レンズ５０の第２固定レンズ枠４２への取り付けは次のように行われる。
取り付け片５００４が取り付け面４２０４に重ね合わされ、４本のピン５６がピン挿通孔５８に挿通される。
その際、取り付け片５００４が取り付け面４２０４に重ね合わされることで、レンズ部５００２は撮影光学系１４の光軸１４Ａ方向における位置が位置決めされる。
また、位置決めピン５６Ａが位置決めピン挿通孔５８Ａに挿通され、かつ、ピン挿通長孔５８Ｂに回転阻止用ピン５６Ｂが挿通されることでレンズ部５００２の光軸と撮影光学系１４の光軸１４Ａとが合致される。
そして、ピン挿通孔５８から突出する位置決めピン５６Ａを除いた残りのピン５６の先端が取り付け片５００４上にかしめられ、これにより第２固定レンズ５０が第２固定レンズ枠４２へ取着され、固定される。
すなわち、第２固定レンズ５０は第２固定レンズ枠４２の長手方向の端部に取り付けられる。
【００１５】
次に、第３固定レンズ５４（レンズ部材）の取り付けについて説明する。
図７は第３固定レンズ枠４４と第３固定レンズ５４の分解斜視図、図８は第３固定レンズ枠４４が第３固定レンズ５４に取り付けられた状態を示す斜視図である。
図７に示すように、鏡筒３２の一部を構成し撮影光学系１４の光路が内部に延在する枠状の部材である第３固定レンズ枠４４の前面に、撮影光学系１４の光路を形成すべき矩形の開口４４０２が設けられ、撮像素子１８（図３参照）はこの開口４４０２の後方箇所に取着されている。
第３固定レンズ５４が取着されるレンズ取り付け部は、開口４４０２の周方向に間隔をおいた第３固定レンズ枠４４の複数箇所から撮影光学系１４の光軸１４Ａ方向と平行する方向に突設された複数の膨出部６２を備えている。
各膨出部６２の先端からピン６４が突出されている。
取り付け面６６は、膨出部６２の先端の端面でピン６４の周囲の環状面で構成されている。
取り付け面６６は、撮影光学系１４の光軸１４Ａに対して直交する平面上を延在している。
すなわち、第３固定レンズ枠４４の厚さ方向の一方の端部にレンズ取り付け部が設けられ、厚さ方向の他方の端部に撮像素子１８が設けられている。
第３固定レンズ枠４４は合成樹脂製で、第３固定レンズ枠４４を構成する合成樹脂として、例えば、ポリカーボネートなどが挙げられる。
【００１６】
第３固定レンズ５４は合成樹脂製で、光束を集束または発散させるレンズ部５４０２と、レンズ部５４０２の外周から突設された取り付け片５４０４とを有している。本実施の形態では、取り付け片５４０４はレンズ部５４０２の外周全周にわたって延在する矩形枠状に形成されている。
第３固定レンズ５４を構成する合成樹脂として、例えば、ＰＭＭＡ（Polymethyl methacrylate：メタクリル酸樹脂）などのアクリル樹脂などが挙げられる。
取り付け片５４０４の周方向に間隔をおいた複数箇所にピン６４が挿通されるピン挿通孔６８が貫通形成されている。
それら複数のピン挿通孔６８のうちの１つのピン挿通孔６８は、レンズ部５４０２の光軸からの距離が高い精度で形成された位置決めピン挿通孔６８Ａとして形成され、この位置決めピン挿通孔６８Ａに挿入されるピン６４は、第３固定レンズ枠４４の光路の光軸からの距離が高い精度で形成され位置決めピン挿通孔６８に嵌合される位置決めピン６４Ａとして形成されている。
また、レンズ部５４０２を挟んで位置決めピン挿通孔６８に対向する他の１つのピン挿通孔６８は、レンズ部５４０２の径方向に延在するピン挿通長孔６８Ｂとして形成され、このピン挿通長孔６８Ｂに挿通されるピン６４は、ピン挿通長孔６８Ｂ内でその長手方向に移動できかつ位置決めピン６４および位置決めピン挿通孔６８Ａを中心とするレンズ部５４０２の回転を阻止する回転阻止用ピン６４Ｂとして形成されている。
また、残りの２つのピン挿通孔６８およびそれらピン挿通孔６８に挿入されるピン６４は、第３固定レンズ５４を第３固定レンズ枠４４に固定させる部材としてのみ機能する。
また、挿通されたピン６４が突出する第３固定レンズ５４の取り付け片５４０４の前面でピン挿通長孔６８Ｂを除くピン挿通孔６８の周囲には、座ぐり６６０２が形成されている。
【００１７】
第３固定レンズ５４の第３固定レンズ枠４４への取り付けは次のように行われる。
図７、図８に示すように、取り付け片５４０４が取り付け面６６に重ね合わされ、４本のピン６４がピン挿通孔６８に挿通される。
その際、取り付け片５４０４が取り付け面６６に重ね合わされることで、レンズ部５４０２は撮影光学系１４の光軸１４Ａ方向における位置が位置決めされる。
また、位置決めピン６４Ａが位置決めピン挿通孔６８Ａに挿通され、かつ、ピン挿通長孔６８Ｂに回転阻止用ピン６４Ｂが挿通されることでレンズ部５４０２の光軸と撮影光学系の光軸１４Ａとが合致される。
そして、ピン挿通孔６８から突出する位置決めピン６４Ａを除いた残りのピン６４の先端が取り付け片５４０４上にかしめられ、これにより第３固定レンズ５４が第３固定レンズ枠４４へ取着され、固定される。
すなわち、第３固定レンズ枠４４の厚さ方向の一方の端部に第３固定レンズ５４が取り付けられ、厚さ方向の他方の端部に撮像素子１８が設けられている。
【００１８】
第２固定レンズ５０の第２固定レンズ枠４２への取り付け、および、第３固定レンズ５４の第３固定レンズ枠４４への取り付けによれば、次のような効果が奏される。
第２固定レンズ５０、第３固定レンズ５４の鏡筒３２に対する取り付けは、加熱されたかしめ治具を、ピン挿通孔５８、６８から突出された位置決めピン５６Ａ、６４Ａを除く残りのピン５６、６４の先端に当て付けてピン５６、６４の先端を溶融してつぶすことによってかしめ、あるいは、超音波で振動するかしめ治具をピン５６、６４の先端に当て付け、これによって発生した熱によってピン５６、６４の先端を溶融しつぶしてかしめることによってなされる。
この際、ピン５６、６４は第２固定レンズ５０、第３固定レンズ５４ではなく、鏡筒３２側に設けられていることから、第２固定レンズ５０（レンズ部５００２）、第３固定レンズ５４（レンズ部５４０２）に直接熱や力が加わることが阻止されるため、レンズ部５００２、５４０４の変形を防止する上で有利となり、したがって、撮影光学系１４の像性能の悪化を確実に防止しつつ、第２固定レンズ５０、第３固定レンズ５４の取り付けを行うことができる。
【００１９】
また、第２固定レンズ５０を、図６に示すように、筒状の部材である第２固定レンズ枠４２の長手方向の端部に取り付けているので、次のような効果が奏される。
すなわち、従来の取り付け構造では、レンズを筒状の部材のレンズ枠の長手方向の一端に取り付ける場合、レンズの外周部から後方に向けてピンを突設し、それらピンが挿通されるピン挿通孔をレンズ枠の長手方向に延在させ、ピン挿通孔に挿通されたピンの先端をレンズ枠の内部において溶融してかしめを行うことが考えられるが、その場合には、かしめ治具を用いるためのスペースをレンズ枠の内部においてレンズ枠の後方に広く確保する必要があり、設計の自由度を確保する上で不利であり、また、レンズ枠の径方向の寸法、鏡筒の径方向の寸法を縮小する上で不利があり、レンズ鏡筒および撮像装置のコンパクト化を図る上で不利がある。
これに対して、本実施の形態では、第２固定レンズ枠４２の前端面にピン５６を設けたので、第２固定レンズ枠４２の前方の開放されたスペースでかしめ治具を用いればよく、第２固定レンズ枠４２の内部や後方にはかしめ治具を使用するためのスペースを確保する必要が無い。
したがって、第２固定レンズ枠４２の内部や後方のスペースを小さくすることができるため、設計の自由度を確保する上で有利となり、また、ピンが挿通されるピン挿通孔をレンズ枠の長手方向に沿って延在させる必要が無くなるため、光軸１４Ａと直交する方向における第２固定レンズ枠４２の後部の径方向の寸法、鏡筒３２の径方向の寸法を縮小でき、レンズ鏡筒１６および撮像装置１０のコンパクト化を図る上で有利となる。
【００２０】
また、第３固定レンズ５４を、図７に示すように、枠状の第３固定レンズ枠４４の厚さ方向の一方の端部に取り付け、厚さ方向の他方の端部に撮像素子１８が設けられているので、次のような効果が奏される。
すなわち、従来の取り付け構造では、レンズを枠状のレンズ枠の厚さ方向の一方の端部に取り付け、撮像素子を厚さ方向の他端に取り付ける場合、レンズの外周部から後方に向けてピンを突設し、それらピンが挿通されるピン挿通孔をレンズ枠の厚さ方向に延在させ、ピン挿通孔に挿通されたピンの先端をレンズ枠の厚さ方向の他端において溶融してかしめを行うことが考えられるが、その場合には、かしめ治具を用いるためのスペースをレンズ枠の厚さ方向の他端においてレンズ枠の後方に広く確保する必要があり、設計の自由度を確保する上で不利であり、また、レンズ枠の径方向の寸法、鏡筒の径方向の寸法を縮小する上で不利があり、レンズ鏡筒および撮像装置のコンパクト化を図る上で不利がある。
特に、第３固定レンズ枠４４の後方には、前述した撮像素子１８やその撮像素子１８が実装されたプリント配線基板などの部材が取着されていることから、ピンが挿通されるピン挿通孔をレンズ枠の厚さ方向に延在させると、ピンおよびピン挿通孔をプリント配線基板などの外側に配置しなくてはならず、しかも、かしめ治具との干渉を避けなければならないため、大きなデッドスペースが必要となる。
これに対して、本実施の形態では、ピンが挿通されるピン挿通孔をレンズ枠の厚さ方向に延在させる必要が無くなるため、光軸１４Ａと直交する方向における第３固定レンズ枠４４の後部の径方向の寸法、鏡筒３２の径方向の寸法を縮小でき、レンズ鏡筒１６および撮像装置１０のコンパクト化を図る上で有利となる。
【００２１】
一般的に、撮像装置１０のレンズ鏡筒１６などでは、光軸１４Ａ上に配置された複数のレンズは、後方に至るにつれて光線が集束されることから、後方に配置されるレンズほどその直径が小さくなる。したがって、鏡筒３２も後方に至るにつれて径方向の寸法を次第に縮小することが可能となる。
しかしながら、従来のレンズ取り付け構造では、ピン挿通孔をレンズ枠の長手方向や厚さ方向に延在させ、レンズ枠の後方でかしめ治具を用いることから鏡筒３２の後方に近い部分においてはかしめ治具を用いるためのスペースを確保する必要上、鏡筒３２の径方向の寸法を縮小するには限界があった。
しかしながら、本実施の形態では、ピン挿通孔をレンズ枠の長手方向や厚さ方向に延在させる必要がなくなり、レンズ枠の前方でかしめ治具を用いることから、レンズ枠の後方に確保するスペースが不要となり、鏡筒３２の径方向の寸法を後方に至るにつれて縮小する上で有利となる。
特に、上述したように第３固定レンズ枠４４の径方向の寸法を縮小できることから、例えば、図１０に示すように、鏡筒３２の後方に至るにつれて径方向の寸法を次第に縮小することができる。
【００２２】
また、本実施の形態では、図７に示すように、枠状の第３固定レンズ枠４４の厚さ方向の一方の端部に第３固定レンズ５４が設けられ、厚さ方向の他方の端部に撮像素子１８が設けられ、それら第３固定レンズ５４と撮像素子１８との間に、第３固定レンズ枠４４の光路中に赤外線カットガラスを出没させる出没機構７０が設けられている。赤外線カットガラスは、通常の撮影時には、撮影光学系１４から撮像素子１８に導かれる光から赤外線成分をカットするために光路中に移動され、赤外線撮影時（夜間撮影時）には、光路中から退避されるものである。
出没機構７０は、第３固定レンズ枠４４の前面に突設された支軸７００２を中心に揺動可能に支持された操作レバー７００４と、操作レバー７００４の基端と一体に設けられたアーム７００６と、アーム７００６の先端に連結されたホルダ７００８と、ホルダ７００８に保持された赤外線カットガラス７０１０と、第３固定レンズ枠４４の前面でホルダ７００８の両側に設けられホルダ７００８を光路と直交する方向に直線往復移動可能に案内する２つのガイド７０１２と、アーム７００６と第３固定レンズ枠４４の間に設けられホルダ７００８を赤外線カットガラス７０１０が光路中に位置した位置と光路中から待避した位置との双方に付勢するスプリング７０１４とを備えている。
したがって、このような出没機構７０を配置するスペースを第３固定レンズ枠４４に確保する必要がある。
【００２３】
図９（Ｂ）は従来のレンズ取り付け構造が適用された第３固定レンズ枠４４と第３固定レンズ５４の取り付け箇所の断面図である。なお、図９（Ｂ）において図１乃至図８と同一または同様の部分には同一の符号を付して説明する。
従来のレンズ取り付け構造では、図９（Ｂ）に示すように、第３固定レンズ５４から後方に突設されたピン５４１０が、第３固定レンズ枠４４の厚さ方向に貫通する貫通孔４４１２に挿通され、貫通孔４４１２から突出したピン５４１０の後端をかしめ治具Ｊによって溶融しかしめを行うことが考えられる。
したがって、ピン５４１０が第３固定レンズ枠４４の厚さ方向の全長にわたって位置するため、ピン５４１０が位置している部分には、出没機構７０を構成する部材を配置するスペースＳを大きく確保することができない。そのため、ピン５４１０および貫通孔４４１２を光路からより離間させた箇所に設けなくてはならず、第３固定レンズ枠４４の径方向の寸法、鏡筒３２の寸法を縮小する上で不利であり、レンズ鏡筒１６および撮像装置１０のコンパクト化を図る上で不利である。
【００２４】
図９（Ａ）は本実施の形態における第３固定レンズ枠４４と第３固定レンズ５４の取り付け箇所の断面図である。
本実施の形態では、図９（Ａ）に示すように、第３固定レンズ枠４４の前面からピン６４が突出されているため、ピン６４の延長線上に位置する第３固定レンズ枠４４の部分に切り欠き６２０２を設けることでスペースＳを大きく確保でき、そのスペースＳに出没機構７０を構成する部材、例えば、ガイド７０１２を配置することができる。すなわち、ピン６４の位置を光路から離間させることなく、出没機構７０を配置するスペースを確保することができるため、第３固定レンズ枠４４の径方向の寸法、鏡筒３２の寸法を縮小でき、レンズ鏡筒１６および撮像装置１０のコンパクト化を図る上で有利となる。
【００２５】
次に、図１１乃至図１３を参照してかしめの態様について説明する。
まず、図１１を参照して説明すると、図１１（Ａ）、（Ｂ）は図６のピン５６およびピン挿通孔５８部分の拡大図である。
レンズ部材である第２固定レンズ５０は、レンズ部５００２を通過する光路が内部に延在する第２固定レンズ枠４２に組み込まれ、レンズ取り付け部は、光路の周囲の第２固定レンズ枠４２を構成する壁部から膨出しその先端に取り付け面４２０４が形成された膨出部４２１０を有している。
ピン５６は、取り付け面４２０４から突出している。
取り付け片５００４は、取り付け面４２０４に合わされる合わせ面が形成された内面５０１０と、内面５０１０と反対に位置する外面５０１２とを有している。
ピン挿通孔５８は、内面５０１０と外面５０１２とにわたって貫通形成されている。
外面５０１２でピン挿通孔５８の周囲の箇所に座ぐり５０２０が形成されている。
ピン挿通孔５８から突出するピン５６の先端はかしめられ、座ぐり５０２０の内側空間に収容されている。
したがって、かしめられた部分が取り付け片５００４の外面５０１２の外側に突出する不具合が防止される。
【００２６】
次に、図１２を参照して説明すると、図１２（Ａ）、（Ｂ）は図７、図８のピン６４およびピン挿通孔６８部分の拡大図である。
レンズ部材である第３固定レンズ５４は、レンズ部５４０２を通過する光路が内部に延在する第３固定レンズ枠４４に組み込まれている。
レンズ取り付け部は、光路の周囲の第３固定レンズ枠４４を構成する壁部から膨出しその先端に取り付け面６６が形成された円柱状の膨出部６２を有している。
ピン６４は、取り付け面６６から突出している。
取り付け片５４０４は、取り付け面６６に合わされる合わせ面５４１０が形成された内面５４１２と、内面５４１２と反対に位置する外面５４１４とを有している。
ピン挿通孔６８は、内面５４１２と外面５４１４とにわたって貫通形成されている。
内面５４１２および外面５４１４の箇所でピン挿通孔６８の周囲の箇所に座ぐり６８０２、６８０４がそれぞれ形成されている。
内面５４１２に形成された座ぐり６８０２の底面で合わせ面５４１０が構成されている。
したがって、合わせ面５４１０と取り付け面６６とが重ね合わされることで第３固定レンズ５４の光軸方向における位置が位置決めされ、かしめられた部分が取り付け片５４０４の外面５４１４の外側に突出する不具合が防止される。
【００２７】
この場合、ピン６４がピン挿通孔６８に挿通された状態で、ピン６４の外周面とピン挿通孔６８の内周面との間に環状の隙間Ｓ１が確保されるように形成することも可能である。
このように構成すると、前記効果に加え、かしめ時に受ける熱の第３固定レンズ５４への伝達を阻止する上で有利となる効果が奏される。
【００２８】
次に、図１３を参照して説明すると、図１３（Ａ）、（Ｂ）は図７、図８のピン６４およびピン挿通孔６８部分の拡大図である。
図１３においては、ピン６４がピン挿通孔６８に挿通された状態で、ピン６４の外周面とピン挿通孔６８の内周面との間に環状の隙間Ｓ１が確保され、かつ、内面５４１２の座ぐり６８０２の内周面と膨出部６２の外周面との間に環状の隙間Ｓ２が確保されるようにしている。
このように構成すると、図１１の実施の形態の効果に加え、隙間Ｓ１と隙間Ｓ２が確保されていることから、かしめ時に受ける熱の第３固定レンズ５４への伝達を阻止する上で有利となる効果が奏される。
【００２９】
なお、本実施の形態では、ピン挿通孔５８、６８から突出されたピン５６、６４の先端を溶融してつぶした場合について説明したが、ピン挿通孔５８、６８から突出されたピン５６、６４の取り付け片５００４、５４０４への固定には、接着剤による接着や、熱を用いない機械的なかしめなど従来公知の様々な取着方法が採用可能である。
また、本実施の形態では、撮像装置としてビデオカメラを用いて説明したが、本発明は、デジタルスチルカメラ、その他種々の撮像装置に適用可能であり、本発明のレンズ部材の取り付け構造および取り付け方法は、レンズ部材を用いる撮像装置以外の様々な機器、装置に適用可能である。
【図面の簡単な説明】
【００３０】
【図１】第１の実施の形態の撮像装置１０の構成を示す斜視図である。
【図２】第１の実施の形態の撮像装置１０の構成を示す斜視図である。
【図３】撮像装置１０の制御系の構成を示すブロック図である。
【図４】レンズ鏡筒１６の分解斜視図である。
【図５】レンズ鏡筒１６の断面図である。
【図６】第２固定レンズ枠４２と第２固定レンズ５０の斜視図である。
【図７】第３固定レンズ枠４４と第３固定レンズ５４の分解斜視図である。
【図８】第３固定レンズ枠４４が第３固定レンズ５４に取り付けられた状態を示す斜視図である。
【図９】（Ａ）は本実施の形態における第３固定レンズ枠４４と第３固定レンズ５４の取り付け箇所の断面図、（Ｂ）は従来のレンズ取り付け構造が適用された第３固定レンズ枠４４と第３固定レンズ５４の取り付け箇所の断面図である。
【図１０】変形例におけるレンズ鏡筒１６の断面図である。
【図１１】（Ａ）、（Ｂ）は図６のピン５６およびピン挿通孔５８部分の拡大図である。
【図１２】（Ａ）、（Ｂ）は図７、図８のピン６４およびピン挿通孔６８部分の拡大図である。
【図１３】（Ａ）、（Ｂ）は図７、図８のピン６４およびピン挿通孔６８部分の拡大図である。
【符号の説明】
【００３１】
１０……撮像装置、１６……レンズ鏡筒、５０……第２固定レンズ、５４……第３固定レンズ、５００２、５４０２……レンズ部、５００４、５４０４……取り付け片、４２０４、６６……取り付け面、５８、６８……ピン挿通孔、５６、６４……ピン。
【図１】
2008015129.tif 000003
【図２】
2008015129.tif 000004
【図３】
2008015129.tif 000005
【図４】
2008015129.tif 000006
【図５】
2008015129.tif 000007
【図６】
2008015129.tif 000008
【図７】
2008015129.tif 000009
【図８】
2008015129.tif 000010
【図９】
2008015129.tif 000011
【図１０】
2008015129.tif 000012
【図１１】
2008015129.tif 000013
【図１２】
2008015129.tif 000014
【図１３】
2008015129.tif 000015